(57)【要約】
【課題】　使い勝手がよく、携帯に便利で、デザイン的にも優れ、製造コストの低い歯科用口腔鏡を提供する。
【解決手段】　使用者が手で保持するための保持部２と、使用者が口腔内を見るための鏡面部３と、保持部２と鏡面部３との間に位置し、使用者が外部から力を加えることにより曲折自在の曲折部４とを備える歯科用口腔鏡１。曲折部４を曲折自在としたため、保持部２と鏡面部３とのなす角度を簡単に調整することができ、自分の口腔内を見るにあたって使い勝手がよい。全体を細長い金属板状に形成し、一端に保持部２を、他端に鏡面部３を、長手方向中央部に曲折部４を設けることにより、曲折部４を曲折しない状態では、歯科用口腔鏡全体を細長い板状とすることができ、携帯に便利である。歯科用口腔鏡１をステンレス鋼板の打ち抜き及び鏡面仕上げによって製造し、製造コストの低減、外観の向上を図ることができる。
【選択図】　図１
0003099914.tif 000002
【実用新案登録請求の範囲】
【請求項１】
　使用者が手で保持するための保持部と、
　使用者が口腔内を見るための鏡面部と、
　前記保持部と鏡面部との間に位置し、使用者が外部から力を加えることにより曲折自在の曲折部とを備えることを特徴とする歯科用口腔鏡。
【請求項２】
　全体が細長い金属板状に形成され、
　一端に前記保持部を、他端に前記鏡面部を、長手方向中央部に前記曲折部を備えることを特徴とする請求項１に記載の歯科用口腔鏡。
【請求項３】
　全体をステンレス鋼からなる１枚の金属板で形成したことを特徴とする請求項１または２に記載の歯科用口腔鏡。
【請求項４】
　前記鏡面部に、着脱自在の樹脂製カバーを備えることを特徴とする請求項１、２または３に記載の歯科用口腔鏡。
【考案の詳細な説明】
【技術分野】
【０００１】
　本考案は、歯科用口腔鏡に関し、特に、使用者が自分自身で口腔内を見る際に好適な歯科用口腔鏡に関する。
【背景技術】
【０００２】
　従来、歯その他口腔内の診察、治療にあたって種々の歯科用口腔鏡が用いられている。例えば、棒状のミラーホルダーの先端に円形の、傾斜した鏡面部を備えた歯科用口腔鏡や、歯の舌側を確実かつ容易に観察することができるように、ミラーホルダー部分を鉤状に曲折し、その先端にミラー支持部をミラーホルダー側に向けて取り付けた歯科用口腔鏡が提案されている（例えば、特許文献１参照）。
【０００３】
　また、上記歯科用口腔鏡以外にも、全体が平板状に形成され、その一部を手で支持し、一部を鏡面部として使用する歯科用口腔鏡が提案されている（例えば、特許文献２、３参照）。
【０００４】
【特許文献１】実開平４−５０００３号公報
【特許文献２】意匠登録第６８１１０９号公報
【特許文献３】意匠登録第７０７３９５号公報
【考案の開示】
【考案が解決しようとする課題】
【０００５】
　しかし、特許文献１に記載の歯科用口腔鏡は、歯科医者が使用するには便利であるが、自分自身で口腔内を見るために使用するには不都合である。
【０００６】
　また、特許文献２及び３に記載の歯科用口腔鏡についても、全体が平板状に形成されているため、自分自身で口腔内を見るためには使い勝手が悪いという問題があった。
【０００７】
　そこで、本考案は、上記従来の歯科用口腔鏡における問題点に鑑みてなされたものであって、自分の歯または口腔内を見る際に使い勝手がよく、さらに、携帯に便利である等の利点を有する歯科用口腔鏡を提供することを目的とする。
【課題を解決するための手段】
【０００８】
　上記目的を達成するため、本発明は、歯科用口腔鏡であって、使用者が手で保持するための保持部と、使用者が口腔内を見るための鏡面部と、前記保持部と鏡面部との間に位置し、使用者が外部から力を加えることにより曲折自在の曲折部とを備えることを特徴とする。
【０００９】
　そして、本考案によれば、使用者が外部から力を加えることにより曲折部を曲折自在とすることができるため、保持部と鏡面部とのなす角度を簡単に調整することができ、自分自身で口腔内を見るにあたって使い勝手がよい。
【００１０】
　前記歯科用口腔鏡において、全体を細長い金属板状に形成し、一端に前記保持部を、他端に前記鏡面部を、長手方向中央部に前記曲折部を備えるようにすることができる。これによって、口腔内を観察しない時には、歯科用口腔鏡全体を細長い板状とすることができ、携帯に便利である。
【００１１】
　前記歯科用口腔鏡は、全体をステンレス鋼からなる１枚の金属板で形成することができる。これによって、ステンレス鋼板の打ち抜き及び鏡面仕上げによって歯科用口腔鏡を製造することができ、製造コストを低減することができるとともに、デザイン的にも優れた歯科用口腔鏡を提供することができる。
【００１２】
　前記歯科用口腔鏡の前記鏡面部に、着脱自在の樹脂製カバーを備えるようにすることができる。これによって、歯科用口腔鏡の不使用時における鏡面部の損傷等を防止することができる。
【考案の効果】
【００１３】
　以上説明したように、本考案によれば、使い勝手がよく、携帯に便利で、デザイン的にも優れ、製造コストの低い歯科用口腔鏡を提供することができる。
【考案を実施するための最良の形態】
【００１４】
図１は、本考案にかかる歯科用口腔鏡の一実施の形態を示し、この歯科用口腔鏡１は、全体がステンレス鋼板で形成され、一端に、使用者が歯科用口腔鏡１を手で保持するための保持部２と、他端に、使用者が口腔内を見るための鏡面部３と、長手方向中央部に、使用者が力を加えることにより曲折自在の曲折部４とを備える。
【００１５】
　歯科用口腔鏡１全体は、ステンレス鋼板を打ち抜くことによって形成され、鏡面部３のみを鏡面仕上げする。歯科用口腔鏡１の製造にあたって、ステンレス鋼が好適であるが、ステンレス鋼以外の金属を使用することもでき、金属の一枚板ではなく、金属以外の樹脂等の材料にメッキ等を施して歯科用口腔鏡１を形成することもできる。
【００１６】
　保持部２は、使用者が歯科用口腔鏡１を手で保持するための部分であり、保持部２は曲折部４より幅広に形成され、その端部は、安全性及び意匠性を考慮して半円状に形成される。
【００１７】
　鏡面部３は、鏡面加工がなされた部分であって、この鏡面部３を介して使用者が自己の口腔内を観察することができる。この鏡面部３も、保持部２と同様に、曲折部４より幅広に形成され、その端部は、安全性及び意匠性を考慮して半円状に形成される。
【００１８】
　曲折部４は、保持部２と鏡面部３との中間部に位置し、歯科用口腔鏡１全体で最も幅狭に形成される。この曲折部４は、使用者が指等を使って力を加え、曲折させる部分であって、図２に示すように、保持部２と鏡面部３とのなす角度θを調整し、口腔内をより観察し易くするために設けられる。歯科用口腔鏡１の厚さは、曲折部４を使用者が指等で簡単に曲折することができる程度とすることが必要である。
【００１９】
　図１に示すように、樹脂製カバー５は、歯科用口腔鏡１の不使用時、携帯時等において、鏡面部３が傷つくのを防止するためのものであって、簡単に着脱することができる材質のものが好ましい。
【００２０】
　次に、上記構成を有する歯科用口腔鏡１の使用方法について説明する。
【００２１】
　上述のように、歯科用口腔鏡１の不使用時に鏡面部３を保護している樹脂製カバー５（図１（ｃ）参照）を取り外す。次に、口腔内の観察箇所に応じて保持部２と鏡面部３とのなす角θ（図２参照）を調整するため、曲折部４を指等を用いて曲折させる。
【００２２】
　そして、図３に示すように、保持部２を指で保持し、歯科用口腔鏡１と、別途用意した鏡とで口腔内を観察する。観察位置を変更する場合には、上記角度θ（図２参照）を調整しながら、歯科用口腔鏡１及びもう一方の鏡の位置を適宜変更する。
【００２３】
　口腔内の観察が終了すると、曲折部４を曲折させて歯科用口腔鏡１全体を平らにし、携帯に便利な形状とすることができる。また、鏡面部３に樹脂製カバー５を貼着させて表面を保護した状態で保管することが好ましい。
【図面の簡単な説明】
【００２４】
【図１】本考案にかかる歯科用口腔鏡の一実施の形態を示す図であって、（ａ）は平面図、（ｂ）は側面図、（ｃ）は鏡面部に樹脂製カバーを貼着した状態を示す側面図である。
【図２】図１の歯科用口腔鏡の曲折部を曲げて保持部と鏡面部との間に角度を持たせた状態を示す側面図である。
【図３】図２の歯科用口腔鏡を使用者が手で保持した状態を示す斜視図である。
【符号の説明】
【００２５】
１    歯科用口腔鏡
２    保持部
３    鏡面部
４    曲折部
５    樹脂製カバー
【図１】
0003099914.tif 000003
【図２】
0003099914.tif 000004
【図３】
0003099914.tif 000005